(57)【要約】  【解決手段】電気装置と基板とを電気的に接続するための電気コネクタ装置の好ましい実施例は、ヘッダコネクタを有する。このヘッダコネクタは、接点を有する。この接点は、前記電気装置と係合するためのピンと、レセプタクルコネクタ経由で前記ヘッダコネクタを基板に設置することができるように、基板上に設置されるレセプタクルコネクタの接点と係合するためのピンに電気的に接続される中間部分と、前記ヘッダコネクタを前記基板に直接設置することができるように、基板と係合するための前記中間部分に電気的に接続される尾部とを有する。【選択図】図１
2008547172.tif 000002
【特許請求の範囲】
【請求項１】
第１ハウジングおよび第１電気接点と、第２ハウジングおよび第２電気接点とを有してなり、この第２電気接点は、前記第１電気接点と直交して解放可能に結合し、さらに、前記第１および第２ハウジングは、解放可能にともにロックする、モジュラー電気コネクタ装置。
【請求項２】
前記第１電気接点は、２つの別々に離間したアームを有し、さらに、前記第２電気接点は、前記２つの別々に離間したアーム間に嵌合する、請求項１記載のモジュラー電気コネクタ装置。
【請求項３】
前記第１電気接点および第２電気接点は、両方とも電力接点である、請求項１記載のモジュラー電気コネクタ装置。
【請求項４】
前記第１ハウジングによって保持された第１信号接点を有する、請求項３記載のモジュラー電気コネクタ装置。
【請求項５】
前記第２ハウジングによって保持された第２信号接点をさらに有する、請求項４記載のモジュラー電気コネクタ装置。
【請求項６】
前記第１ハウジングは、誘電材料から作られる、前記請求項１記載のモジュラー電気コネクタ装置。
【請求項７】
前記第１ハウジングは、誘電体ハウジング材料の比較的に長いストリップから所定長さに切断される、前記請求項１記載のモジュラー電気コネクタ装置。
【請求項８】
前記第１ハウジングは突部を規定し、第２ハウジングはスロットを規定し、さらに、この突部とスロットとは相互に作用して、第１ハウジングと第２ハウジングとをともに解放可能にロックする、前記請求項１記載のモジュラー電気コネクタ装置。
【請求項９】
前記第１ハウジングと第２ハウジングとは、前記突部とスロットとの間で適切な摩擦嵌合によって解放可能にロックする、前記請求項１記載のモジュラー電気コネクタ装置。
【請求項１０】
前記突部は、Ｔ形状である、前記請求項８記載のモジュラー電気コネクタ装置。
【請求項１１】
前記第２電気接点は、キャビティを規定する、前記請求項８記載のモジュラー電気コネクタ装置。
【請求項１２】
前記第１ハウジングは、対流の冷却のための前記キャビティと整列された窓を規定する、前記請求項１１記載のモジュラー電気コネクタ装置。
【請求項１３】
前記第１電気接点は、さらに、２つの別々に離間したアームの１つに電気的に接続された圧入ピンを有する、前記請求項２記載のモジュラー電気コネクタ装置。
【請求項１４】
前記第２電気接点は、中空本体を有し、さらに圧入ピンが、前記中空本体に電気的に接続される、前記請求項１記載のモジュラー電気コネクタ装置。
【請求項１５】
前記第１ハウジングは、軸方向長さを有し、さらに、前記第２ハウジングおよび第２電気接点は、前記第１ハウジングの軸方向長さを超えて延びていない、前記請求項１記載のモジュラー電気コネクタ装置。
【請求項１６】
前記第２ハウジングは、誘電材料から作られる、前記請求項１記載のモジュール電気コネクタ装置。
【請求項１７】
前記第２ハウジングは、誘電性ハウジング材料の比較的に長いストリップから所定長さに切断される、前記請求項１６記載のモジュラー電気コネクタ装置。
【請求項１８】
前記第１ハウジングおよび第２ハウジングは、ともに入れ子にされる、前記請求項１記載のモジュラー電気コネクタ装置。
【請求項１９】
前記第１ハウジングは、レセプタクルコネクタであり、さらに、第２ハウジングは、ヘッダコネクタである、前記請求項１記載のモジュラー電気コネクタ装置。
【請求項２０】
第１ハウジングは、軸方向長さを有しており、かつ、直交して第１ハウジングの軸方向長さに直角をなす方向である、前記請求項１記載のモジュラー電気コネクタ装置。
【発明の詳細な説明】
【技術分野】
【０００１】
この発明は、一般に、電気コネクタに係り、さらにより具体的にはレセプタクルコネクタの使用で、またはその使用なしに設置することができるヘッダコネクタを有する電気コネクタ装置に関する。
【背景技術】
【０００２】
電子装置は、一般にヘッダコネクタとこのヘッダコネクタと結合するように構成されたレセプタクルコネクタとを有するコネクタ装置を使用して、マザーボードのような基板に接続される。
【０００３】
電子装置の製造者は、一般にこの電子装置の部品をできるだけ密集してパッケージすることを試みる。したがってレセプタクルコネクタを収容する追加的ペースが必要となると、特別に不都合である。
【発明の開示】
【発明が解決しようとする課題】
【０００４】
この発明は、連結するとともに、交換することができるハウジング／接点の組合せを有するモジュールの直交コネクタ装置に向けられている。
【課題を解決するための手段】
【０００５】
この発明は、ヘッダの電力および／または信号接点のモジュールのストリップが、より長い誘電性ハウジング材料のストリップからある長さに切断され、かつＰＣＢのような基板に配置されたレセプタクルコネクタに取外し可能に接続されることを可能にする。ヘッダとレセプタクルが重なり、およびまたは、共に入れ子になる（   nested）ので、スペースが節約される。例えば、そのヘッダまたはレセプタクルは、直交結合方向に対してほぼ直角の軸方向長さを有しており、さらに他のハウジングまたは、レセプタクルは、軸方向長を超えては延びていない。さらに、軸長方向にほぼ直角の方向に結合するモジュラー性および直交は、それぞれ、より大きな柔軟性を提供する。
【０００６】
この発明は、明らかに、ヘッダとレセプタクルとの組合せに限定されない。ヘッダコネクタのみを経由して、基板に対する電圧調整モジュール（ＶＲＭ）、またはその他の電子装置の接続を容易にすることができるコネクタ装置のための発展中の要請に対処するために、電気装置と基板とを電気的に接続するための電気コネクタ装置の好ましい実施例は、ヘッダコネクタを有する。このヘッダコネクタは、接点を有する。その接点は、電気装置と係合するためのピンと、レセプタクルコネクタ経由でヘッダコネクタを基板に設置することができるように基板上に設置されたレセプタクルコネクタの接点と係合するためのピンに電気的に結合された中間部分と、前記ヘッダコネクタを前記基板に直接設置することができるように前記基板と係合するための前記中間部分に結合するための電気的に結合される尾部（tail）とを有する。
【０００７】
電気コネクタ装置の他の好ましい実施例は、ヘッダコネクタを有する。このヘッダコネクタは、絶縁体と、電力を導くための絶縁体に設置された接点とを有する。この接点は、電気装置と結合するためのピンと、このピンに電気的に接続され、そこに規定された開放端キャビティを有する本体とを有する。
【０００８】
電気コネクタ装置の他の好ましい実施例は、接点を有するヘッダコネクタと、その接点に取付けられた絶縁体とを有する。この絶縁体は、それに形成された少なくとも１つの突部と、そこに形成されたスロットとをする。
【０００９】
この装置は、さらに、ヘッダコネクタとレセプタクルコネクタとが結合するときにヘッダコネクタの接点と係合するための接点を備えたレセプタクルコネクタを有する。このレセプタクルコネクタは、さらにそれに設置されたレセプタクルコネクタの接点を備えたハウジングを有する。このハウジングは、それに形成された少なくとも１つ突部とそこに形成されたスロットとを有する。
【００１０】
ヘッダコネクタとレセプタクルコネクタとが結合された状態に維持されるように、ヘッダコネクタとレセプタクルコネクタとが結合されるときに、レセプタクルコネクタの少なくとも１つの突部とスロットとは、ヘッダコネクタの少なくとも１つの突部とスロットと係合する。
【００１１】
好ましい実施例の以下の詳述と同様に、先行する概要も、付属された概略図と関連して読まれたときに、よりよく理解される。この発明を例証する目的で、その図面は、現在好ましい実施例を示す。しかしながら、その発明は、図面に示された特定の手段に限定されない。
【発明を実施するための最良の形態】
【００１２】
図１から７は、電気コネクタ装置１０の好ましい実施例を描いている。各図は、そこに描かれた共通の座標系１１にそれぞれ参照される。装置１０は、ヘッダコネクタ１２と、このヘッダコネクタ１２と結合するレセプタクルコネクタ１４とを有する。このヘッダコネクタ１２は、基板１６、または電圧調整モジュール（ＶＲＭ）のような電気装置に設置することができる。このレセプタクルコネクタ１４は、ＰＣＢ、ドーターカード、またはマザーボード２０のような基板に設置することができる。
【００１３】
基板１６とマザーボード２０とを電気的に結合するために、ヘッダコネクタ１２は、レセプタクルコネクタ１４と結合することができる。
【００１４】
あるいは、ヘッダコネクタ１２は、レセプタクルコネクタ１４の使用なしで、マザーボード２０と直接結合することができる。次の議論は、もし他の方法で注目されなかったならば、ヘッダコネクタ１２がレセプタクルコネクタ１４と関連して使用される用途に関係がある。
【００１５】
ヘッダコネクタ１２は、１２個の電力接点２２と、３つの信号接点アレイ２４とを有する。このヘッダコネクタ１２は、さらに、電力接点２２と信号接点アレイ２４との部分を覆って成型された絶縁体２６を有する。注目されるべきことは、典型的な目的だけのために１２個の電力接点２２と３つの信号接点アレイ２４を有するように描かれていることである。他の実施例は、１２個の電力接点２２と３つの信号接点アレイ２４よりも多いか、または少ないものを有することができる。
【００１６】
隣接した電力接点２２間の中心線対中心線の間隔は、約０．２５インチである。注目されるべきことは、その間隔用の最適値は、用途次第であり、かつ、各電力接点２２用の要求された処理量（throughput）、信号接点アレイ２４間の望ましい間隔、ヘッダコネクタ１２の全体的な波形率、その他のようなファクタに応じて変化することができることである。その間隔用の特別の数値は、典型的な目的のためだけに示されている。
【００１７】
電力接点２２は、各々、８本のピン３０ａを有する。図１−３において描かれるように、ピン３０ａは、２本の、間隔を置いた、垂直の列に配置される。好ましくは、ピン３０ａは、針の目タイプの接点である。ピン３０ａは、ヘッダコネクタ１２と基板１６との間の電力を導くための経路を形成するために、基板１６内に形成されためっきされた貫通孔またはバイア内に対して圧入することができる。基板１６における貫通孔、またはバイアは、明瞭のために、図には描かれていない。電力接点２２は、典型的な目的のためだけの８本のピン３０ａを有するように描かれている。電力接点２２の他の実施例は、８本ピン３０ａより多く、またはもっと少なく有することができる。表面実装技術、すなわち、ハンダボールが、開示された実施例のいずれにおいても、ピンの代りに使用できる。
【００１８】
図２および３に描かれるように、各電力接点２２は、さらに２つの垂直に指向されたブレード３２を有する。ピン３０ａのうちの３本は、ブレード３２の第１に隣接し、さらに他の３本のピン３０ａは、第２のブレード３２に隣接する。
【００１９】
各電力接点２２は、さらにほぼ中空の本体３４を有する。この本体３４は、ブレード３２に隣接する前方部（図示せず）を有する。その本体３４は、さらに前方部に隣接する第１および第２の側部３８、４０を有する。この本体３４は、さらに第１および第２の側部３８、４０にそれぞれ隣接する頂部４１および底部４２を有する。第１および第２の側部３８、４０は、別々に間隔を置かれ、その結果、本体３４は内部キャビティ４４を規定する。図１−３において示されるように、キャビティ４４の後方端は、開放している。
【００２０】
第１、第２の側部３８、４０、および２つのブレード３２は、これらの部品の代りに単一のブレードを使用する電力接点と比較して、電力接点２２の電流容量を増加することができる。さらに、キャビティ４４の開放端は、キャビティ４４に対して内外に、空気が循環することを可能にする。
【００２１】
各電力接点２２は、さらに図１および３に示されるように、本体３４の底部４２に隣接する６つの尾部４８ａを有している。好ましくは、この尾部４８ａは、針の目タイプの接点である。この尾部４８ａは、好ましくはそれに施された錫鉛コーティングを有する。各尾部４８ａは、ヘッダコネクタ１２がレセプタクルコネクタ１４と結合されるときに、マザーボード２０内に形成されためっきされていない貫通孔内に圧入嵌めすることができる。マザーボード２０における貫通孔は、明瞭のために図には示されていない。尾部４８ａは、ヘッダコネクタ１２がレセプタクルコネクタ１４とともに使用されるときに、通常は電力を送電するのには使用されない。以下に議論されるように、尾部４８ａは、ヘッダコネクタ１２がマザーボード２０に直接設置される用途において電力を送電するために使用される。
【００２２】
電力接点２２は、典型的な目的のためだけの尾部４８ａのうちの６つを有しているように描かれている。電力接点２２の他の実施例は、６つより多いか、またはより少ない尾部４８ａを有することができる。
【００２３】
各尾部４８ａは、近接して間隔を置かれるか、または突合う尾部４８ａの対を形成するために、好ましくは他の尾部４８ａと隣接して配置される。各対の尾部４８ａは、マザーボード２０における単一の、適切に寸法どりされた貫通孔内に受け入れられる。
【００２４】
絶縁体２６は、図１−３に示されるように、ピン３０ａが、絶縁体２６の前方面から延びるように、各ブレード３２の部分を覆って成型される。絶縁体２６は、前方部分４９と隣接した結合する部分５０とを有している。突部５１と、その隣接する前方部分４９とは、スロット５２を規定する。以下に議論されるように、突部５１とスロット５２とは、レセプタクルコネクタ１４における補完的な機構に加えて、ヘッダコネクタ１２とレセプタクルコネクタ１４とを対になった状態で保持するのを支援する。
【００２５】
ヘッダコネクタ１２の各信号接点アレイ２４は、８つの電気導体６０を有する。図５に示されるように、導体６０は、２つの入れ子のグループ内に配置される。明確のために、各グループの１つの導体６０は、図５には示されていない。信号接点アレイ２４は、典型的な目的のためだけに、導体６０のうちの８つを有するように説明される。信号接点アレイ２４の他の実施例は、８つの導体６０よりも多いか、または少なく有することができる。
【００２６】
隣接した信号接点アレイ２４間の中心線対中心線の間隔は、約０．３０インチである。注目すべきことは、間隔のための最適値は、用途次第であり、信号接点アレイ２４に課されたノイズ要求、電力接点間の望ましい間隔、ヘッダコネクタ１２の全面的な波形率２２等のようなファクタに応じて変化することができることである。間隔のための特別な値は、典型的な目的のためだけに表わされる。
【００２７】
各導体６０は、ピン３０ｂと、このピン３０ｂに隣接するリード６４とを有する。好ましくは、ピン３０ｂは、電力接点２２のピン３０ａとほぼ同一の針の目タイプの接点である。このピン３０ｂは、ヘッダコネクタ１２と基板１６との間の信号および接地経路を形成するために、基板１６内に形成された、めっきされた貫通孔、またはバイア内に圧入嵌めすることができる。
【００２８】
図５に示されるように、リード６４は、その中に形成された約９０度の屈曲部を有する。この屈曲部は、リード６４を、ほぼ水平方向に方向付けされた第１部分６４ａと、ほぼ垂直方向に方向付けされた第２部分６４ｂとに分離する。
【００２９】
各導体６０は、さらに、リード６４の第２部分６４ｂに隣接する尾部４８ｂを有する。好ましくは、尾部４８ｂは、電力接点２２の尾部４８ａとほぼ同一の針の目タイプの接点である。各尾部４８ｂは、ヘッダコネクタ１２がレセプタクルコネクタ１４と結合されるときに、マザーボード２０内に形成された、めっきされていない貫通孔内に圧入嵌めすることができる。尾部４８ｂは、ヘッダコネクタ１２がレセプタクルコネクタ１４とともに使用されるときに、ヘッダコネクタ１２とマザーボード２０との間の信号および接地経路を形成するために、通常は使用されない。以下に議論されるように、尾部４８ｂは、ヘッダコネクタ１２がマザーボード２０に直接設置される用途において、ヘッダコネクタ１２とマザーボード２０との間の信号および接地経路を形成するために使用される。
【００３０】
各導体６４の第２部分６４ｂは、そこに形成された２つのジョグ６８を有する。図５および６に示されるように、ジョグ６８は、第２部分６４ｂ内における外側に突出するオフセット７０を形成する。マザーボード２０における尾部４８ｂの全面的なフートプリントを最小限にすることを支援している間、オフセット７０は、以下に議論するように、信号接点アレイ２４とレセプタクル１４内における結合する導体との間の電気的接触を容易にする。
【００３１】
絶縁体２６は、図６に示されるように信号接点アレイ２４を覆って成型される。図１、５および６において示されるように、各信号接点アレイ２４に結合された絶縁体２６の部分は、前方部分７２と、結合する部分７３と、ハウジング部７４とを有している。このハウジング部７４は、下側にあるリード６４を示すために、図５には描かれない。
【００３２】
ピン３０ｂは、図６に示されるように、前方部分７２の前方表面から延びる。結合する部分７３は、結合する部分５０に関して上述した突部５１のうちの２つを有している。突部５１、およびその隣接する前方部分７２は、スロット５２のうちの２つを規定している。突部５１およびスロット５２は、レセプタクルコネクタ１４における補完的な機構に加えて、結合された状態でヘッダコネクタ１２およびレセプタクルコネクタ１４を保持することを支援する。
【００３３】
ハウジング部７４は、各リード６４のオフセット７０が露出され、また図６において示されるようなハウジング部２６の周囲表面からわずかに突出するように、リード６４を覆って成型される。この構成は、以下に議論されるように、導体６４とレセプタクルコネクタ１４における補完的な電気伝導性の機構との間の接蝕を容易にする。尾部４８ｂは、図６に示されるように、ハウジング部２６ｂから下方に延びる。
【００３４】
レセプタクルコネクタ１４は、１２個の電力接点８０と６つの信号接点アレイ８２とを有する。レセプタクルコネクタ１４は、さらに成型された、電気的に絶縁性のハウジング８４を有する。注目されるべきことは、電力接点２２とレセプタクル接点１２の信号接点アレイ２４との構成と一致することを要請されるように、電力接点８０のうちの１２個と信号接点アレイ８２のうちの6つとを有するように描かれていることである。特定の用途における電力接点２２とレセプタクルコネクタ１２の信号接点アレイ２４の構成と一致することが必要であるように、他の実施例は、８つ以上またはそれ未満の電力接点８０と６つの信号接点アレイ８２とを有することができる。
【００３５】
電力接点８０は、図４に示されるように、それぞれ第１および第２アーム８５と、この第１および第２アーム８５に隣接するベース８６とを有する。各電力接点８０は、さらに隣接する６つの尾部８８ａを有しており、かつ、ベース８６から下方へ延びている。尾部８８ａは、好ましくは針の目タイプの接点が好適である。尾部８８ａは、好ましくは、それに金のコーティングを施している。この尾部８８ａは、レセプタクルコネクタ１４とマザーボード２０との間の信号および接地経路を形成するために、マザーボード２０内に形成されためっきされた貫通孔またはバイア内に圧入嵌めすることができる。
【００３６】
第１および第２アーム８５は、ベース８６の対向する側から、上方に延びる。第１および第２アーム８５は、内方に、すなわち、上方に延びながら、相互に向って内方に曲げられている。第１および第２アーム８５は、ばね接点の役割をする。特にプラグコネクタ１２がレセプタクルコネクタ１４と結合されるときに、それぞれ第１および第２アーム８５は、電力接点２２の結合された１つの本体３４のそれぞれ第１および第２側部３８、４０に接触する。本体３４がそれらの間に挿入されるにつれて、本体３４が第１および第２アーム８５を離間するように偏倚するように、第１および第２アーム８５の上部端が間隔をおいて配置される。第１および第２アームの８５の弾性は、第１および第２アーム８５と本体３４との間の接触力を向上するとともに、電力接点２２、８０が結合されるにつれて、払拭作用を供与する。第１および第２アーム８５の上部端は、好ましくは外方にひだを設けて、第１および第２アーム８５間の本体３４をガイドするのを支援する。
【００３７】
第１および第２アーム８５の比較的にコンパクトな構成は、レセプタクルコネクタ１４の全高を最小にするのを支援すると考えられる。第１および第２アーム８５の構成も、ヘッダとレセプタクルコネクタ１２、１４とが結合されるときに、本体３４と尾部８８ａとの間の電気的な経路の長さを最小にするのを支援すると考えられる。電気的な経路の長さの縮小は、電力接点８０の電流容量を増加させることができ、より好ましいインダクタンス特性を提供することができる。
【００３８】
ハウジング８４は、各電力接点８０のベース８６の周囲に成型される。このハウジング８４は、図１に示されるように、後壁８９と、それぞれこの後壁８９に隣接する複数の仕切９０と、２つの端壁９１とを有する。図２に最もよく示されるように、後壁８９と、仕切９０と、端壁９１とは、キャビティ９２を規定する。各電力接点８０の第１および第２アーム８５は、キャビティ９２の対向する側９２に最も近い結合されるキャビティ９２内に位置される。
【００３９】
上に議論されたように、レセプタクルコネクタ１４とヘッダコネクタ１２とが結合されるときに、各電力接点８０の第１および第２番アーム８５は、対応する電力接点２２の本体３４を受け入れる。したがって、各キャビティ９２は、連結される電力接点２２の本体３４と同様に、連結される電力接点８０の第１および第２アーム８５を収容する。
【００４０】
各キャビティ９２と連結される後壁８９の部分は、図１−３に示されるように、そこに形成された窓９４を有する。この窓９４は、レセプタクルコネクタ１４の周囲で全体環境との流体流通性において連結されるキャビティ９２を設置する。ヘッダコネクタ１２とレセプタクルコネクタ１４とが結合されるときは、各窓９４は、連結される電力接点２２のキャビティ４４と整列する。このように比較的涼しい外気がキャビティ４４に入ることができる一方で、窓９４は加熱空気がコネクタ装置１０の動作中にキャビティ４４を出ることを可能にする。窓９４は、それによって連結される電力接点２２および電力接点８０の対流による冷却を容易にする。
【００４１】
各キャビティ９２の幅（「ｙ」寸法）は、電力接点８０のベース８６の幅とほぼ等しい。この機構は、ヘッダコネクタ１２とレセプタクルコネクタ１４とが結合されるにつれて、電力接点２２の第１および第２の側部３８、４０が、それぞれの電力接点８０の第１および第２アーム８５とほぼ整列されることを保証するのを支援することができる。
【００４２】
このように第１および第２アーム８５と、第１および第２側部３８、４０とを整列させることは、結合する工程の間に破損される第１および第２アーム８５の可能性を最小にするのを支援することができる。
【００４３】
図１−３に示されるように、各仕切９０は、ほぼＴ形の結合する部分９５ａを有する。結合する部分９５ａは、それぞれ２つの突部９６を有する。各突部９６は、スロット９８を規定するのを支援する。
【００４４】
各端壁９１は、さらにスロット９８を規定するのを支援する１つの突部９６を有する。
【００４５】
図３に示されるように、ヘッダコネクタ１２とレセプタクルコネクタ１４とが結合されるときに、スロット９８は、それぞれヘッダコネクタ１２の連結する突部５１を受け入れる。さらに、突部９６は、それぞれ、ヘッダコネクタ１２とレセプタクルコネクタ１４とが結合されるときに、ヘッダコネクタ１２の連結されるスロット５２内に配置されるようになる。
【００４６】
好ましくは、突部５１が、摩擦によって、連結されるスロット９８内の上方移動から抑止されるように、スロット９８および突部５１は寸法採りされる。突部９６も、同様に摩擦によって、連結されるスロット５２内の上方移動から抑止されるように、スロット５２および突部９６は、寸法採りされる。ヘッダコネクタ１２およびレセプタクルコネクタ１４の他の実施例は、垂直方向におけるレセプタクルコネクタ１４に対してヘッダコネクタ１２を固定するために、摩擦嵌めの代りに、またはそれに加えて、ラッチまたは他の手段を利用することができる。    
突部５１、９６は、スロット５２、９８に加えて、ヘッダコネクタ１２およびレセプタクルコネクタ１４を、横方向（「ｙ」）および軸（「ｘ」）の方向における相対的な移動から抑止する連結を形成する鍵の役割をする。さらに、突部５１、９６と、スロット５２、９８によって提供されるその連結は、例えば、基板１６の重量と、基板１６またはマザーボード２０に加えられる外力と、基板１６およびマザーボード２０の熱膨脹差、その他により絶縁体２６およびハウジング８４が力とモーメントを作用し合うことを可能にする。換言すれば、スロット５２、９８および突部５１、９６は、電力接点２２およびその連結される電力接点８０によってではなくむしろ、絶縁体２６およびハウジング８４経由でヘッダコネクタ１２とレセプタクルコネクタ１４との間に伝達されたものに対する力を可能にする。その連結する部材も電力接点ハウジングおよび信号接点ハウジングのキーイングを可能にするために寸法採りされ、形づくることができる。
【００４７】
図７に示されるように、各信号接点アレイ８２は、４つの電気伝導リード１０２と、このリード１０２のそれぞれの１つに隣接する複数個の尾部８８ｂを有する。好ましくは、尾部８８ｂは、尾部８８ａとほぼ同一の針の目タイプの接点である。この尾部８８ｂは、ヘッダコネクタ１２が、このヘッダコネクタ１２とマザーボード２０との間に信号および接地経路を形成するために、ヘッダコネクタ１２がレセプタクルコネクタ１４と結合するときに、マザーボード２０内にで形成されためっきされた貫通孔、またはバイア内に圧入嵌めすることができる。    
ハウジング８４は、図１および７に示されるように、さらに仕切１０５ａ、１０５ｂを有する。この仕切１０５ｂは、最終端信号接点アレイ８２と連結される。各仕切１０５ｂは、１つの信号接点アレイ８２と連結されたリード１０２を覆って成型される、すなわち、各仕切１０５ｂは、リード１０２のうちの４つを覆って成型される。各仕切１０５ａは、２つの信号接点アレイ８２と連結したリード１０２を覆って成型され、すなわち、各仕切１０５ｂは、リード１０２のうちの８つを覆って成型される。
【００４８】
仕切１０５ａ、１０５ｂは、図７に示されるように、各リード１０２に対する接近を提供するために、そこに形成されたスロット１０８を有する。仕切１０５ａ、１０５ｂ、および仕切１０５ａ、１０５ｂ、に連結された後壁８０の部分は、図１に示されるように、キャビティ１０４を規定する。ヘッダコネクタ１２とレセプタクルコネクタ１４とが結合されるときに、各キャビティ１０４は、絶縁体２６の連結されたハウジング部７４を受け入れる。
【００４９】
リード１０２は、ヘッダコネクタ１２とレセプタクルコネクタ１４とが結合されるときに、各リード１０２が接触し、ヘッダコネクタ１２の連結されたオフセット７０を払拭するように、仕切１０５ａ、１０５ｂ内に位置される。この接触は、信号接点アレイ２４、８２間の電気的接触を確立する。
【００５０】
各仕切１０５ａ、１０５ｂは、図７に示されるように、結合する部分９５ｂを有する。この結合する部分９５ｂは、仕切９０の結合する部分９５ａとほぼ同一である。結合する部分９４ｂは、それぞれ、２つの突部９６を有する。各突部９６は、スロット９８のうちの１つを規定するのを支援する。
【００５１】
ヘッダコネクタ１２とレセプタクルコネクタ１４と結合されるときに、結合する部分９５ｂのスロット９８は、それぞれヘッダコネクタ１２の絶縁体２６の連結された突部５１を受け入れる。さらに、突部９６は、それぞれ、ヘッダコネクタ１２とレセプタクルコネクタ１４とが結合されるときに、ヘッダコネクタ１２の連結されたスロット５２内に配置されるようになる。
【００５２】
結合する部分９５ｂと連結されたスロット９８と突部９６とは、結合する部分９５ａに連結されたスロット９８および突部９６とほぼ同一の方法で、保持し、かつ連結する構成として役割をする。
【００５３】
コネクタ装置１０は、ヘッダコネクタ１２とレセプタクルコネクタ１４とが結合されるときに、電力接点とハウジング部とをカバーするためのカバー（図示せず）を有することができる。
【００５４】
上に注記されたように、ヘッドコネクタ１２は、レセプタクル１４の使用なしに、マザーボード２０に直接設置することができる。このタイプの用途において、ヘッダコネクタを通して伝送された電力のすべては、電力接点２２の尾部４８ａ、および連結され、めっきされた貫通孔またはバイアを通過する。ヘッダコネクタ１２とマザーボード２０との間の信号および接地経路は、尾部４８ｂおよびこの種の用途において連結され、めっきされた貫通孔またはバイアによって形成される。
【００５５】
ヘッダコネクタ１２は、使用者の選択で、レセプタクルコネクタ１４とともにか、またはそのレセプタクルコネクタなしで、使用することができる。例えば、基板１６のために利用可能な垂直の（「ｚ」軸）スペースが比較的に制限されたときには、レセプタクルコネクタ１２は、単独で使用することができる。例えば、ヘッダコネクタ１２が専らマザーボード２０および基板１６を電気的に接続するために使用されるときに、すなわち、ヘッダコネクタがマザーボード２０に直接設置されるときに、マザーボード２０の設置表面と基板１６の頂部との間の垂直距離は、約１．１０インチである。注目されるべきことは、この特別な寸法は、典型的な目的のためだけに示され、さらにヘッダコネクタ１２の他の実施例が使用される用途においては変更することができることである。
【００５６】
電力接点２２の各尾部４８ａは、好ましくは、尾部４８ａの他のものに近接して配置されて、上で議論されたように、緊密に間隔を置かれるか、または衝合する、対の尾部４８ａを形成する。各ペアの尾部４８ａは、ヘッダコネクタ１２がマザーボード２０に直接設置されるときに、マザーボード２０内のめっきされた貫通孔、またはバイアに  受け入れられる。したがって、電力は、尾部４８ａ経由で、ヘッダコネクタ１０とマザーボード２０との間に伝送される。
【００５７】
尾部４８ａのための上記に注記した対にする配置は、尾部４８ａを収容するために必要であるマザーボード２０上の領域を実質的に増加させることなく、各電力接点２２と連結される尾部の数を２倍にすることができる。各電力接点２２上の尾部４８ａの数を増加させることは、電力接点２２の電流容量を増加することができる。したがって、上に注記した方法で尾部４８ａを対にすることは、マザーボード２０における電力接点２２の導体パターン（foot print）を実質的に増加させることなく、電力接点２２の処理量を増加することができる。ヘッダコネクタ１２がレセプタクルコネクタ１４とともに使用されるときに、電力接点８０の尾部４８ａと尾部８８ａとの間に分離を与えることを支援する。
【００５８】
信号接点アレイ２４の各尾部４８ｂは、ヘッダコネクタ１２がヘッダコネクタ１２とマザーボード２０との間の信号または接地経路を形成するためにマザーボード２０に直接設置されるときに、マザーボード２０内に形成されためっきされた貫通孔またはバイア内に圧入嵌めすることができる。ヘッダコネクタ１２とマザーボード２０との間の信号および接地経路は、この実施例において、専らヘッダコネクタ１２の尾部４８ｂによって形成される。
【００５９】
先行する記述は、説明の目的で提供され、発明を限定するものとして解釈するべきではない。この発明が、好ましい実施例、または好ましい方法に関して記述された一方で、ここに使用された用語は、限定の用語ではなく、記述と例証の用語であることが理解される。さらに、この発明は、特別の構造、方法、および実施例に関してここに記述されたが、この発明は、発明が付属された請求項の範囲内の全構造、方法、および用途にまで及ぶように、ここに示された特別のものに限定されるようには意図されていない。この明細書の教示の利益を有するがある適切な技術に熟練している者は、ここに記述されるようなこの発明に対する多数の修正を達成することができる。また、変更は、付属の請求項によって規定されるような発明の範囲および精神から逸脱することなしになし得る。
【００６０】
例えば、図８は、コネクタ装置１０ａの形状におけるコネクタ装置１０の他の実施例を描いている。装置１０ａは、ヘッダコネクタ１２ａおよびレセプタクルコネクタ１４を有する。ヘッダコネクタ１０ａは、電力接点２２ａを有する。電力接点２２ａは、電力接点２２の尾部４８ａのような尾部を有する。この実施例においては、電力は、専らレセプタクルコネクタ１４の電力接点８０経由で、ヘッダコネクタ１０ａとマザーボード２０との間で伝送される。
【００６１】
ヘッダコネクタ１０ａは、さらに、信号接点アレイ２４の尾部４８ｂのような尾部を有していない信号接点アレイ２４ａを有する。ヘッダコネクタ１０ａとマザーボード２０との間の信号および接地経路は、この実施例において、専らレセプタクルコネクタ１４の信号接点アレイ８２によって形成される。
【００６２】
装置１０ａの構成は、ヘッダコネクタ１２ａおよびレセプタクルコネクタ１４が結合された後に、ヘッダコネクタ１２ａのモジュラリティー性を維持する。特に、ヘッダコネクタ１２ａは、マザーボード２０と直接しない。したがって、ヘッダコネクタ１２ａは、相対的な容易さを以ってレセプタクルコネクタ１４と結合しないようにすることができる。この特徴は、レセプタクルコネクタ１４またはマザーボード２０を再加工するか、交換する必要なしで、ヘッダコネクタ１２ａの置換を容易にすることができる。連結するハウジングおよびオプションのカバーは、解放可能にともにロックされたハウジングを維持する。
【００６３】
さらに、コネクタ装置１０における他の変化も可能である。例えば、電力接点８０およびレセプタクルコネクタ１４の信号接点アレイ８２は、それぞれの尾部８８ａ、８８ｂなしで形成することができる。この実施例では、マザーボード２０を備えた電気接点は、専ら、ヘッダコネクタ１２および信号接点アレイ２４のそれぞれの接地接点２２の尾部４８ａ、４８ｂによって確立することができる。特にこの構成は、ヘッダコネクタ１２のモジュラリティーが、レセプタクルコネクタ１４と結合した後に必要でないときに、使用することができる。
【００６４】
図９は、ヘッダコネクタ１２ｂとレセプタクルコネクタ１４ｂとを有するコネクタ装置１０ｂの形状におけるコネクタ装置１０の別の他の実施例を描いている。各ヘッダコネクタは、その特別な接地接点２２とのみ連結した個別の絶縁体２６ａに成型した接地接点２２を有する。絶縁体２６ａは、２つの突部５１ａを有する。
【００６５】
レセプタクルコネクタ１４ｂは、ハウジング８４ａを有する。ハウジング８４ａは、連結した絶縁体２６ａおよびヘッダコネクタ１２ａの電力接点２２を受け入れるために、そこに規定されたキャビティ９２ａを有する。各キャビティ９２ａは、ハウジング８４ｂの前方表面から内方に延びるスロット１１２ａに隣接する。スロット１１２ａは、電力接点２２の絶縁体２６ａの部分を収容し、その結果、電力接点２２は、完全にキャビティ９２ａ内に挿入することができる。
【００６６】
突部５１ａは、ヘッダコネクタ１２ｂがレセプタクルコネクタ１４ｂと結合するときに、ハウジング８４ａ内に形成されたスロット９８ａ内に配置されるようになる。突部５１ａおよびスロット９８ａは、突部５１とヘッダコネクタ１２およびレセプタクルコネクタ１４のスロット９８とに関して上で議論した方法で、連結する構成として役割を有する。
【００６７】
ヘッダコネクタ１２ｂの各信号接点アレイ２４は、その特別な信号接点アレイ２４とのみ連結した個別の絶縁体２６ｂに同様に成型される。ハウジング１４ｂは、連結する絶縁体２６ｂおよび信号接点アレイ２４を受けるためのキャビティ１０４ａを有している。
【００６８】
各キャビティ１０４ａは、ハウジング８４ｂの前方表面から内方に延びるスロット１１２ｂに隣接する。スロット１１２ｂは、絶縁体２６ｂの部分を収容し、その結果、信号接点アレイ２４は、完全にキャビティ１０４ａ内に挿入される。
【００６９】
絶縁体２６ｂは、そこに形成した突部５１ａのうちの２つを有している。突部５１ａは、ヘッダコネクタ１２ｂがレセプタクルコネクタ１４ｂと結合するときに、ハウジング８４ａ内に形成された連結されたスロット９８ａ内に配置されるようになる。
【００７０】
ヘッダコネクタ１２の絶縁体２６は、単一体に形成される。あるいは、絶縁体２６は、多数の部片で形成することができる。例えば、接地接点２２および信号接点アレイ２４と連結した絶縁体２６の部分は、別々に形成することができる。１つの可能な生産方式においては、多数の電力接点２２、すなわち特別のヘッダコネクタ１２に必要であるよりも多くの電力接点を、絶縁体２６の比較的に長いストリップ上に設置することができる。この絶縁体２６は、その適切な位置で切断されて、ヘッダコネクタ１０用に寸法採りされた、より小さなストリップを形成することができる。そこに設置された信号接点アレイ２４を有する絶縁体２６のストリップは、同様の方法で形成され、切断されて、寸法採りすることができる。もし望ましくは、得られるストリップは、接着ボンディングのような適切な方法によって連結して、ヘッダコネクタ１０を形成することができる。レセプタクルコネクタ１４のハウジング８４は、同様の方法で別々の部片に形成することができる。
【図面の簡単な説明】
【００７１】
【図１】結合されていない状態における装置のヘッダコネクタとレセプタクルコネクタとを示す、電気コネクタ装置の好ましい実施例の後方斜視図。
【図２】結合されていない状態におけるヘッダコネクタとレセプタクルコネクタとを示す図１における「Ａ」で指摘された領域の拡大図。
【図３】結合された状態におけるヘッダコネクタとレセプタクルコネクタとを示す図２において描かれた領域の拡大図。
【図４】図１−３において示される装置のレセプタクルコネクタの電力接点の斜視図。
【図５】信号接点アレイの下側にあるリードを示すために取除かれた絶縁体の部分とともに、図１−４において示される装置のヘッダコネクタの信号接点アレイと絶縁体との斜視図。
【図６】図１−５において示される装置のヘッダコネクタの信号接点アレイと絶縁体との側面図。
【図７】図１−６において示される装置のレセプタクルコネクタの信号接点アレイとハウジングとの側面図。
【図８】図１−７において示されるコネクタ装置の他の実施例の平面図。
【図９】図１−７において示されるコネクタ装置のさらに他の実施例の平面図。
【図１】
2008547172.tif 000003
【図２】
2008547172.tif 000004
【図３】
2008547172.tif 000005
【図４】
2008547172.tif 000006
【図５】
2008547172.tif 000007
【図６】
2008547172.tif 000008
【図７】
2008547172.tif 000009
【図８】
2008547172.tif 000010
【図９】
2008547172.tif 000011
【国際調査報告】
2008547172.tif 000012